(57)【要約】【課題】従来の欠点を解消すると同時に安価で簡単に製造することができるたばこ用硬質箱を提供する。【解決手段】箱１は、平行六面体の硬質外容器２と、内包装３と、支持システム２４とを有する。内包装３は、外容器２内に収容されて外容器２の縦寸法より小さい縦寸法を有する。支持システム２４は、外容器２に一体化されて内包装３の底部支持体を形成する。支持システム２４は、少なくとも１つの第１タブ２５と、第２タブ２７とを備える。第１タブ２５は、第１折り目２６に沿って内部側方パネル１３’’にヒンジ式に連結され、外容器２の内側に向かって内部側方パネル１３’’に対して折り曲げられる。第２タブ２７は、第２折り目２８に沿って第１タブ２５にヒンジ式に連結され、底壁１０に平行に底壁１０から所定の距離を隔てて第１タブ２５に対して直角に折り曲げられて、内包装３の底部支持体を形成する。【選択図】図４
2010265040.tif 000002
【特許請求の範囲】
【請求項１】
前壁（１１）と、後壁（１２）と、上壁（９）と、底壁（１０）と、相互に重ね合わせられて相互に接着される内部側方パネル（１３’’）及び外部側方パネル（１３’）によってそれぞれ形成される２つの側壁（１３）とを有する平行六面体形状の硬質容器（２）と、
一群のたばこ（４）を収容し、前記容器（２）内に収容されて、前記容器（２）の縦寸法よりも小さい縦寸法を有する内包装（３）と、
前記容器（２）に一体化されて前記内包装（３）のための底部支持体を形成する支持システム（２４）であって、第１折り目（２６）に沿って前記側壁（１３）の前記内部側方パネル（１３’’）にヒンジ式に連結されて、前記容器（２）の内側に向かって前記内部側方パネル（１３’’）に対して折り曲げられる少なくとも１つの第１タブ（２５）、及び、第２折り目（２８）に沿って前記第１タブ（２５）にヒンジ式に連結されて前記第１タブ（２５）に対して直角に折り曲げられる第２タブ（２７）を備える支持システム（２４）と、を備えるたばこ用硬質箱（１）であって、
前記第２タブ（２７）は、前記底壁（１０）に平行であって前記底壁（１０）から所定の距離で隔てられ、前記内包装（３）のための前記底部支持体を形成し、前記第１タブ（２５）の上側に配置され、その結果、前記第１タブ（２５）が、前記第２タブ（２７）を挟んで前記内包装（３）の反対側に配置されるたばこ用硬質箱。
【請求項２】
前記第２タブ（２７）は、前記前壁（１１）及び前記後壁（１２）の少なくともいずれか一方に接して位置決めされる請求項１に記載のたばこ用硬質箱。
【請求項３】
前記第２タブ（２７）は、前記容器（２）の小さい方の横寸法に同等の横寸法を有し、及び、従って前記前壁（１１）及び前記後壁（１２）の両方に接して位置決めされる請求項１に記載のたばこ用硬質箱。
【請求項４】
前記第１折り目（２６）は、前記側壁（１３）を形成する両方の縦縁（１４）から所定の距離で隔てられて配置される請求項１〜３のいずれか１項に記載のたばこ用硬質箱。
【請求項５】
前記第１タブ（２５）及び前記第２タブ（２７）の間の境界線は、段差形状であり、第２折り目（２８）及びＬ字形状の切れ目を備える請求項４に記載のたばこ用硬質箱。
【請求項６】
前記第１タブ（２５）及び前記第２タブ（２７）は、前記内部側方パネル（１３’’）の切り抜きによって前記内部側方パネル（１３’’）内に形成される請求項１〜５のいずれか１項に記載のたばこ用硬質箱。
【請求項７】
前記第２タブ（２７）は、前記側壁（１３）を形成する縦縁（１４）に、面取りされて／丸みのある角を有する請求項１〜６のいずれか１項に記載のたばこ用硬質箱。
【請求項８】
前記支持システム（２４）は、前記第２折り目（２８）に平行な第３折り目（３０）に沿って前記第２タブ（２７）にヒンジ式に連結された少なくとも１つの第３タブ（２９）を備えており、前記少なくとも１つの第３タブ（２９）は、前記第２タブ（２７）に対して直角に折り曲げられ、前記前壁（１１）又は前記後壁（１２）に支えられる請求項１〜７のいずれか１項に記載のたばこ用硬質箱。
【請求項９】
前記第３タブ（２９）は前記前壁（１１）又は前記後壁（１２）に接着される請求項８に記載のたばこ用硬質箱。
【請求項１０】
前記支持システム（２４）は、前記第２タブ（２７）の対辺に配置されて、前記前壁（１１）及び前記後壁（１２）にそれぞれ支えられる２つの前記第３タブを備える請求項８又は９に記載のたばこ用硬質箱。
【請求項１１】
前記第１折り目（２６）は前記第２折り目（２８）に垂直である請求項１〜１０のいずれか１項に記載のたばこ用硬質箱。
【請求項１２】
前記硬質容器（２）は、
前記前壁と前記側壁（１３）との間及び前記後壁と前記側壁（１３）との間に形成される４本の縦縁（１４）と、
前記前壁（１１）と前記上壁（９）との間、前記前壁（１１）と前記底壁（１０）との間、前記後壁（１２）と前記上壁（９）との間及び前記後壁（１２）と前記底壁（１０）との間に形成される４本の大横縁（１５）と、
前記側壁（１３）と前記上壁（９）との間及び前記側壁（１３）と前記底壁（１０）との間に形成される４本の小横縁（１５）と、を備え、
前記第１折り目（２６）は前記縦縁（１４）に平行であり、前記第２折り目（２８）は前記小横縁（１５）に平行である請求項１〜１１のいずれか１項に記載のたばこ用硬質箱。
【請求項１３】
前記硬質容器（２）は、
前記前壁と前記側壁（１３）との間及び前記後壁と前記側壁（１３）との間に形成される４つの縦縁（１４）と、
前記前壁（１１）と前記上壁（９）との間、前記前壁（１１）と前記底壁（１０）との間、前記後壁（１２）と前記上壁（９）との間及び前記後壁（１２）と前記底壁（１０）との間に形成される４本の大横縁（１５）と、
前記側壁（１３）と前記上壁（９）との間及び前記側壁（１３）と前記底壁（１０）との間に形成される４本の小横縁（１５）と、を備え、
前記第１折り目（２６）は、前記縦縁（１４）に対して鋭角をなし、前記大横縁（１５）に鋭角をなす前記第２折り目（２８）に垂直である請求項１〜１１のいずれか１項に記載のたばこ用硬質箱。
【請求項１４】
前記第１タブ（２５）は、Ｌ字形状又は直角三角形又は直角不等辺四辺形である請求項１〜１３のいずれか１項に記載のたばこ用硬質箱。
【請求項１５】
前記支持システム（２４）は、２つの前記第１タブ（２５）及び２つの対応する前記第２タブ（２７）を備え、前記第１タブ（２５）及び対応する前記第２タブ（２７）は２つの前記側壁（１３）にそれぞれ配置される請求項１〜１４のいずれか１項に記載のたばこ用硬質箱。
【発明の詳細な説明】
【技術分野】
【０００１】
本発明はたばこ用硬質箱に関する。
【背景技術】
【０００２】
たばこ用硬質箱は、製造しやすく、使いやすく、使用に実用的で、かつ、中のたばこを十分に保護してくれる点で、現在では市場に最も広く出回っている。ヒンジ式に連結された蓋を有するたばこ用硬質箱は、内包装材料のシートで包まれた一群のたばこで輪郭を形成された内包装と、この内包装を収容するとともに開放上端を有し、この開放上端を開放する開放位置及び開放上端を閉鎖する閉鎖位置の間で回転するようにヒンジ式に連結された蓋を備える硬質外容器と、を備える。
【０００３】
外容器は、内包装と通常はほぼ同じ寸法であり、その結果、内包装を隙間なくぴったりと収容する。しかしながら、例えば、標準サイズの現行のブランクを用いて、少ない本数のたばこを収容するたばこ用箱を製造する場合、又は、付属品（例えばライター）を収容したり灰皿として使用したりする空隙を外容器の内部に形成する場合に、外容器が内包装よりはるかに大きいことがある。
【０００４】
特許文献１及び特許文献２は、ヒンジ式に連結された蓋を有するたばこ用硬質箱を記載している。このたばこ用硬質箱は、外容器に一体化されて、外容器よりも高さの低い内包装のための底部支持体を形成する支持システムを備える。この支持システムは、側壁の内パネルにヒンジ式に連結されて内パネルに対して外容器の内側に向かって折り曲げられ、底壁上に支えられる２対のタブを備える。
【先行技術文献】
【特許文献】
【０００５】
【特許文献１】米国特許第４２４１８２７号明細書
【特許文献２】欧州特許出願公開第１０２３９９１号明細書
【発明の概要】
【発明が解決しようとする課題】
【０００６】
特許文献１及び特許文献２に記載されている支持システムは、内包装の底部が４つのタブの上縁上にしか支えられず、しかも、タブの上縁は非常に小さいことから、内包装を十分に支持することができないという欠点を有する。これに関して、内包装が、通常は接着されておらず、まばらなたばこの一群を収容している結果、内包装がその底部で適切に支持されないと、中央に集まったたばこが包装材料の局部的な変形を生じさせることがあり、それゆえに内包装の底部が抜けてしまうことを覚えておくことが重要である。さらに、内包装が下向きに押し込まれた場合（例えば消費者がたばこを引き抜く時）、圧縮及び曲げの組合せ応力を受けてタブが潰れることがあり、それゆえに内包装が崩壊する結果を招く。
【課題を解決するための手段】
【０００７】
本発明の目的は、上記欠点を解消すると同時に、安価で簡単に製造することができるように形成されるたばこ用硬質箱を提供することである。
【０００８】
本発明によれば、添付の特許請求の範囲に記載されたたばこ用硬質箱が提供される。
【図面の簡単な説明】
【０００９】
【図１】本発明に係るたばこ用硬質箱の閉鎖した形態における正面斜視図である。
【図２】図１に示されるたばこ用箱の開放した形態における正面斜視図である。
【図３】図１に示されるたばこ用箱の閉鎖した形態における背面斜視図である。
【図４】図１に示されるたばこ用箱の外容器を形成するためのブランクの展開図である。
【図５】明確化のために部品が除去された図１に示されるたばこ用箱の底部の部分断面斜視図である。
【図６】図５に示される底部の部分断面正面図である。
【図７】図５に示される底部の断面図である。
【図８】図４に示されるブランクの代替実施形態の展開図である。
【図９】図４に示されるブランクの代替実施形態の展開図である。
【図１０】図４に示されるブランクの代替実施形態の展開図である。
【図１１】図４に示されるブランクの代替実施形態の展開図である。
【図１２】図４に示されるブランクの代替実施形態の展開図である。
【図１３】図４に示されるブランクの代替実施形態の展開図である。
【発明を実施するための形態】
【００１０】
本発明に係る多数の限定されない実施形態は、添付の図面を参照しつつ一例として説明されるであろう。
【００１１】
図１において符号１はたばこ用硬質箱の全体を示す。この硬質箱１は、平行六面体形状の外容器２と、一群のたばこ４を包み込むとともに外容器２内に収容される内包装３とを備えている。内包装３は平行六面体形状であり、内包装３は、一群のたばこ４周りを包装するホイル包装材料のシート５を備えている。
【００１２】
外容器２は、開放上端６を有し、開放上端６を開放する開放位置（図２）及び開放上端６を閉鎖する閉鎖位置（図１及び図３）の間で外容器２に対して回転するようにヒンジ８に沿って外容器２にヒンジ式に連結されたカップ状蓋７を備えている。
【００１３】
蓋７が閉鎖位置にある時、外容器２は、相互に対向するとともに平行な上壁９及び底壁１０と、相互に対向するとともに平行な前壁１１及び後壁１２と、対向するとともに平行な２つの側壁１３と、を備える直方体形状である。４本の縦縁１４が、側壁１３と前壁１１との間、側壁１３と後壁１２との間に形成され、８本の横縁１５が、上壁９と前壁１１、後壁１２及び側壁１３との間、底壁１０と前壁１１、後壁１２及び側壁１３との間に形成されている。さらに具体的には、４本の大横縁１５が、上壁９と前壁１１及び後壁１２との間、底壁１０と前壁１１及び後壁１２との間に形成され、４本の小横縁１５が上壁９及び底壁１０と側壁１３との間に形成されている。
【００１４】
箱１はまたカラー１６を備えている。カラー１６は、Ｕ字形に折り曲げられて外容器２の内側に接続（接着）され、開放上端６から外側に部分的に突き出し、蓋７が閉鎖位置にある時に蓋７の対応する内面に係合する。カラー１６は、外容器２の前壁１１に接して位置決めされた前壁１７と、前壁１７の対辺に配置されて外容器２の側壁１３に接して位置決めされた２つの側壁１８と、を備えている。
【００１５】
図４に示されるように、外容器２は、概ね細長い長方形の平たいブランク１９から形成されている。以下の説明において、ブランク１９の各部分は、可能であれば、外容器２の対応部分と同一の参照符号に上付き文字を付して示される。
【００１６】
ブランク１９は、２つの縦折り目２０と、複数の横折り目２１とを有している。横折り目２１は、２つの縦折り目２０同士の間に、前壁１１の上部（特に、蓋７部分）を形成するパネル１１’と、上壁９を形成するパネル９’と、後壁１２を形成するパネル１２’と、底壁１０を形成するパネル１０’と、前壁１１の底部（特に、外容器２部分）を形成するパネル１１’’と、を形成している。
【００１７】
パネル１１’、１１’’はそれぞれ２つの外部側方パネル１３’を備えており、前記２つの外部側方パネル１３’は、パネル１１’、１１’’の対辺に配置されて、縦折り目２０でパネル１１’、１１’’と区切られ、側壁１３の外側部をそれぞれ形成する。パネル１２’はそれぞれ２つの内部側方パネル１３’’を備えており、前記２つの内部側方パネル１３’’は、パネル１２’の対辺に配置されて、縦折り目２０でパネル１２’と区切られ、側壁１３の内側部をそれぞれ形成する。ブランク１９を折り畳む時、各外部側方パネル１３’は、側壁１３を形成するために、対応の内部側方パネル１３’’上に折り重ねられて接着される。言い替えれば、外容器２の各側壁１３は、内部側方パネル１３’’に重ね合わせられて接着される外部側方パネル１３’で形成されている。
【００１８】
パネル１１’は、ブランク１９を折り畳む時、１８０°に折り曲げられてパネル１１’に接着される補強フラップ２２を有している。各内部側方パネル１３’’は、内部側方パネル１３’’の対辺に配置されて、２つの横折り目２１で内部側方パネル１３’’と区切られる２つの長方形のタブ２３を有している。ブランク１９を折り畳む時、各タブ２３は、関連する内部側方パネル１３’’に対して直角に折り曲げられて、関連する壁９、１０の内側部分を形成するために、関連するパネル９’、１０’の内面に重ね合わせられて接着される。
【００１９】
図５、図６及び図７に示されるように、箱１は、外容器２に一体化されて、内包装３のための底部支持体を形成する支持システム２４を備えている。支持システム２４の高さ（すなわち、縦方向）は外容器２の高さよりも低い。各側壁１３では、支持システム２４は、折り目２６に沿って対応の内部側方パネル１３’’にヒンジ式に連結されて、内部側方パネル１３’’に対して外容器２の内側に向かって直角に折り曲げられるタブ２５と、底壁１０に平行に底壁１０から所定の距離をとるために、折り目２６に直交する折り目２８に沿ってタブ２５にヒンジ式に連結され、内包装３の底部を支持する役割を果たすタブ２７と、を備えている。各タブ２７が対応のタブ２５の上側に配置され、従って、タブ２５がタブ２７を挟んで内包装３の反対側に配置されることに注目することが重要である。これは、各タブ２５が、対応のタブ２７の下側に配置される場合に、しっかりとタブ２７を支持する点で重要な特徴である。
【００２０】
図５、図６及び図７の実施形態では、タブ２５の折り目２６は縦縁１４に平行であり、タブ２７の折り目２８は大横縁１５に平行である。
【００２１】
各タブ２７は、外容器２の小さい方の横寸法に同等な横寸法を有し、そして、前壁１１及び後壁１２の両方に接触する。これは、タブ２７の対辺が前壁１１及び後壁１２の両方にしっかりと支持されることを意味する点で重要な特徴である。言い替えれば、各タブ２７は、対応のタブ２６でその中央部分を支持されるとともに前壁１１及び後壁１２によって横方向に支持される結果、極めて安定して、（例えば、消費者が内包装３からたばこを引き抜く時に）内包装３が下向きに押し込まれた時であっても座屈しないで内包装３を支持することができる。
【００２２】
異なる実施形態では、図示されないものの、各タブ２７は、前壁１１及び後壁１２のいずれか一方のみに接触する。さらに異なる実施形態では、図示されないものの、各タブ２７は前壁１１及び後壁１２のいずれにも接触しない。
【００２３】
各折り目２６は、側壁１３と境界をなす両方の縦縁１４から所定の距離をとって好適に配置され、その結果、各タブ２５はタブ２７の中央部分に配置されて、タブ２７を安定して（すなわち、重心の近くで）支持する。
【００２４】
図４に示されるように、タブ２５及びタブ２７は、内部側方パネル１３’’から切り抜かれる。言い替えれば、タブ２５及びタブ２７は、標準のブランク１９に追加部分を必要とせず、標準のブランク１９から単純に切り抜かれる。
【００２５】
各タブ２７は、外容器２の形成にあたってブランク１９を折り畳む時、タブ２７及び縦縁１４の間で機械的な干渉を避けるために、側壁１３との境界をなす縦縁１４に面取りされた／丸みのある角を有している。
【００２６】
図４の実施形態では、各々のタブ２５及びタブ２７はＬ字形状であり、各々のタブ２５とタブ２７との間の境界線は、段差形状であり、折り目２８とＬ字形状の切れ目とを備えている。
【００２７】
図８に示される代替実施形態では、各タブ２５は直角不等辺四角形の形状を有し、各タブ２７はＬ字形状であり、各々のタブ２５とタブ２７との間の境界線は、「段差形状」であり、折り目２８とＬ字形状の切れ目とを備えている。
【００２８】
図９に示される代替実施形態では、各タブ２５は直角三角形の形状を有し、各タブ２７は直角不等辺四角形の形状を有し、各々のタブ２５とタブ２７との間の境界線は、直線であり、折り目２８と直線形状の切れ目とを備えている。
【００２９】
図１０に示される代替実施形態では、各タブ２５は長方形であり、各タブ２７は直角不等辺四角形の形状を有し、各々のタブ２５とタブ２７との間の境界線は直線形状であり、境界線の全体が折り目２８で形成されている。
【００３０】
図１１に示される代替実施形態では、各タブ２５は概ね長方形であり、各タブ２７は、タブ２５の内側に進入するＵ字形状の付属片を有する概ね直角不等辺四辺形の形状を有し、各々のタブ２５とタブ２７との間の境界線は、Ｕ字形状であり、両側に折り目２８と、中央にＵ字形状の切れ目とを備えている。
【００３１】
図１２に示される代替実施形態では、各タブ２５及び各タブ２７はＬ字形状であり、各タブ２５及び各タブ２７の間の境界線は、「段差形状」であり、折り目２８とＬ字形状の切れ目とを備えている。図１２の実施形態の特徴は、折り目２６が、縦縁１４に対して鋭角をなすとともに折り目２８に直交し、折り目２８もまた縦縁１４に対して鋭角をなす。折り目２６、２８が縁１４、１５に対して傾斜しているという事実は、タブ２７が外容器２の中心に向かって移動することができることを意味し、タブ２７が十分に大きければ、タブ２７の中央端同士は接触可能であり、その結果、タブ２７により形成された底部支持体の領域を増大させ、内包装３の底部により大きな支持領域を提供することができる。
【００３２】
図１３に示される代替実施形態では、各タブ２７と前壁１１及び後壁１２との間の接触を増加させるために、各タブ２７は、さらなる２つのタブ２９を備えており、前記２つのタブ２９は、タブ２７の対辺に配置されて、折り目２８に平行な２つの折り目３０に沿ってタブ２７にヒンジ式に連結されている。ブランク１９を折り畳む時、各タブ２９は、タブ２７に対して直角に、関連する前壁１１及び後壁１２上に折り曲げられる（可能であれば接着される）。代わりに、各タブ２７は、２つのタブ２９ではなく１つのタブ２９を有してもよい。
【００３３】
外容器２内の内包装３で占められない空隙３１（すなわち、内包装３の底壁と底壁１０との間の空隙、図５）が、付属品（例えばライター）を収容するために、又は、入れ物若しくは灰皿として、少なくとも部分的に用いられてもよい。従って、空隙３１にアクセスするために外容器２の前壁１１及び後壁１２には、ことによるとヒンジ式に連結されたハッチで閉ざされる開口が形成される。
【００３４】
前述したたばこ用箱１は多くの利点を有する。
【００３５】
第１に、箱１は、外容器よりも低い高さの内包装３を収容し、かつ、底壁１０に平行で内包装３の底部を支持するためのタブ２７によって的確に内包装３の底部を支持する。
【００３６】
第２に、外容器２は、標準形状及び標準サイズのブランク１９から形成され、前記ブランク１９は、（タブ２５、２７を折り曲げるために）ほんのわずかに調整しただけの従来型の包装機で折り畳まれることが可能である。従来型の包装機に２つのタブに対応する小型で低コストの折り畳み装置を単純に配備することによって、タブ２５及びタブ２７を折り曲げることが可能であることに注目することが重要である。
【００３７】
最後に、外容器２を製造するためのブランク１９は、標準のブランクからタブ２５、２７を単に切り抜くことによって直ちに形成されることが可能であり、従って、極めて安価で製造され、特に、追加の材料を必要とすることなく標準のブランクとまさに同量の材料を使用する。
【図１】
2010265040.tif 000003
【図２】
2010265040.tif 000004
【図３】
2010265040.tif 000005
【図４】
2010265040.tif 000006
【図５】
2010265040.tif 000007
【図６】
2010265040.tif 000008
【図７】
2010265040.tif 000009
【図８】
2010265040.tif 000010
【図９】
2010265040.tif 000011
【図１０】
2010265040.tif 000012
【図１１】
2010265040.tif 000013
【図１２】
2010265040.tif 000014
【図１３】
2010265040.tif 000015
【外国語明細書】
2010265040000001.pdf